(57)【要約】【課題】走査トンネル分光（ＳＴＳ）と走査トンネルルミネッセンス分光（ＳＴＬＳ）とを試料の同一の局所領域において実施する。【解決手段】プローブ型光測定装置10として、先端が導電性と光透過性とを有するプローブ110によって、所定のバイアス電圧が印可されたときに試料の表面とプローブ110との間に発生するトンネル電流と、このトンネル電流の電流励起による試料からの信号光とを、複数レベルのバイアス電圧に対してそれぞれ測定する。【選択図】  図１
2012088283.tif 000002
【特許請求の範囲】
【請求項１】
先端が導電性と光透過性とを有するプローブと、
被測定試料の表面と前記プローブとの間にバイアス電圧を加える電源部と、
所定の前記バイアス電圧が加えられたときに、前記被測定試料の表面と前記プローブとの間に発生するトンネル電流を測定するトンネル電流測定部と、
前記プローブの先端によって集光された、被測定試料から発せられる信号光を測定する光測定部と、
前記電源部によって加えられる前記バイアス電圧を変化させる制御ユニットと
を備え、
前記制御ユニットは、前記トンネル電流測定部および前記光測定部に、複数レベルの前記バイアス電圧に対する前記トンネル電流およびトンネル電流励起による前記信号光をそれぞれ測定させることを特徴とするプローブ型光測定装置。
【請求項２】
請求項１に記載されたプローブ型光測定装置において、
前記制御ユニットは、前記トンネル電流測定部および前記光測定部によって前記トンネル電流と前記トンネル電流励起による前記信号光とがそれぞれ測定されている間、前記バイアス電圧を一定の電圧値に保ち、前記トンネル電流と前記信号光との測定が終了した後に、前記バイアス電圧を所定の電圧値へ変化させることを特徴とするプローブ型光測定装置。
【請求項３】
請求項１または２に記載されたプローブ型光測定装置において、
前記制御ユニットは、前記トンネル電流および前記トンネル電流励起による前記信号光を測定するときの複数レベルの前記バイアス電圧を、任意の第１の電圧値からこの第１の電圧値より高い任意の第２の電圧値の間に設定することを特徴とするプローブ型光測定装置。
【請求項４】
請求項３に記載されたプローブ型光測定装置において、
前記トンネル電流測定部および光測定部は、前記第１の電圧値から順次高い前記複数レベルの前記バイアス電圧に対する前記トンネル電流および前記トンネル電流励起による前記信号光と、前記第２の電圧値から順次低い前記複数レベルの前記バイアス電圧に対する前記トンネル電流および前記トンネル電流励起による前記信号光とをそれぞれ測定することを特徴とするプローブ型光測定装置。
【請求項５】
請求項１乃至４のいずれかに記載されたプローブ型光測定装置において、
照射光励起のための照射光を発光し前記プローブを介して照射する照射光光源と、
前記プローブの先端によって集光された照射光励起による前記信号光を前記光測定部へ選択的に導光する光分波器と
をさらに備え、
前記制御ユニットは、前記光測定部が前記トンネル電流励起による前記信号光を測定する場合、前記照射光の光強度を前記被測定試料から前記照射光励起による発光が生じない光強度に設定し、前記光測定部が前記照射光励起による前記信号光を測定する場合、前記バイアス電圧を前記被測定試料から前記トンネル電流励起による発光が生じない電圧値へ設定することを特徴とするプローブ型光測定装置。
【請求項６】
請求項５に記載されたプローブ型光測定装置において、
前記光分波器によって導光された前記信号光を分光して波長毎に分解されたスペクトルを出力する分光器と、
前記照射光を所定の周期で発光するパルス光へ変調する光変調器とをさらに備え、
前記光測定部は、前記照射光励起による前記信号光を測定する場合、前記パルス光の周期に同期して前記分光器により出力された前記信号光のスペクトルを測定することを特徴とするプローブ型光測定装置。
【請求項７】
先端が導電性と光透過性とを有するプローブと被測定試料の表面との間に一定のバイアス電圧を加えるステップと、
所定の前記バイアス電圧が加えられるときに前記プローブと前記被測定試料の表面との間に発生するトンネル電流とトンネル電流励起による前記被測定試料から発せられる信号光とを測定するステップと、
前記バイアス電圧を変更するステップと
を備え、
複数レベルの前記バイアス電圧に対して前記トンネル電流および前記信号光を測定することを特徴とする光測定方法。
【請求項８】
請求項７に記載された光測定方法において、
前記バイアス電圧を変更するステップは、前記トンネル電流および前記トンネル電流励起による前記信号光を測定するときの前記複数レベルの前記バイアス電圧を、任意の第１の電圧値からこの第１の電圧値より高い任意の第２の電圧値の間に設定することを特徴とする光測定方法。
【請求項９】
請求項７または８に記載された光測定方法において、
前記バイアス電圧を加えるステップは、前記トンネル電流および前記信号光を測定するステップにより前記トンネル電流と前記信号光との測定が実行されている間、加える前記バイアス電圧を一定の電圧値に保ち、
前記バイアス電圧を変更するステップは、前記トンネル電流と前記信号光との測定が終了した後、加える前記バイアス電圧を所定の電圧値へ変化させることを特徴とする光測定方法。
【請求項１０】
請求項７乃至９のいずれかに記載された光測定方法において、
前記トンネル電流とトンネル電流励起による前記被測定試料から発せられる信号光とを測定するステップは、前記第１の電圧値から順次高い前記複数レベルの前記バイアス電圧に対する前記トンネル電流および前記信号光と、前記第２の電圧値から順次低い前記複数レベルの前記バイアス電圧に対する前記トンネル電流および前記信号光とをそれぞれ測定することを特徴とする光測定方法。
【発明の詳細な説明】
【技術分野】
【０００１】
本発明は、プローブ型光測定装置および光測定方法に関し、特に、材料表面近傍の同一の局所領域における電気的・光学的特性を測定するプローブ型光測定装置および光測定方法に関する。
【背景技術】
【０００２】
近年、物質のナノメータサイズ領域の特性を利用した、いわゆるナノテクノロジーが進展している。特に、半導体分野においては、量子構造などの研究開発が既に進められており、カーボンナノチューブやフラットパネルディスプレイ等への使用が期待される有機エレクトロルミネッセンス（有機ＥＬ）材料が注目されている。また、生体への適用が期待されるバイオ材料なども注目を集めている。
【０００３】
上記したナノテクノロジーを駆使した量子構造を有する材料の開発や、この材料の特性改善には、試料の原子・分子からナノメータサイズの微小領域における電気的・光学的特性を精密に測定することが重要である。このような試料の微小領域における電気的・光学的特性は、微小領域に光照射や電流注入によって生じる散乱光や発光などの光（以下、「信号光」という。）を測定することによって調べることができる。
そのため、個々の単一原子や分子あるいはナノ構造の光特性や電気特性を測定できる極限的に高い空間分解能を持ち、かつ、分光や画像化が可能な光測定装置が強く求められていた。
【０００４】
光照射や電流注入によって生じる信号光を測定する方法は、試料の信号光の発生過程に応じて種々の手法に分類される。例えば、試料の表面に光を照射することにより生じる信号光を検出する方法は、フォトルミネッセンス（ＰＬ：Photoluminecsence）やラマン錯乱といった手法に分類され、試料に対して電流注入されることにより生じる信号光を検出する方法は、カソードルミネッセンス（ＣＬ：Cathodeluminescence）やエレクトロルミネッセンス（ＥＬ：Electroluminescence）といった手法に分類される。
上記の各手法は、外部からのエネルギーの供給によって信号光が生じるという点で共通するが、光の発生過程を区別して、光照射により信号光を検出する方法を「光照射光測定」、電流注入により信号光を検出する方法を「電流注入光測定」として、以下、説明をする。
【０００５】
従来から、光測定の空間分解能や測定領域に光の波長サイズよりも小さいナノメータレベルが要求される場合には、光の波長サイズより小さな微小開口を持つプローブから光を照射する光照射光測定を実行する走査型近接場光顕微鏡（ＳＮＯＭ）や、導電性プローブから微小領域へ電流を注入する電流注入光測定を実行するトンネル発光顕微鏡（ＴＬ）が使用されていた（非特許文献１、非特許文献２）。
【０００６】
ここで、光照射光測定において、測定に用いる通常の照射光源で利用できるレーザ光は、紫外線から赤外線の領域にあり、エネルギーの単色性は高いが調整可能なエネルギーの範囲が１〜３電子ボルト（ｅＶ）程度とわずかなため、数ｅＶの範囲にある物質のエネルギー帯にわたって照射光源のレーザ光を同調させることは困難である。
【０００７】
一方、電流注入光測定を実行するトンネル発光顕微鏡（ＴＬ）装置では、集光効率を改善するため、光を収集する機能と電流を供給する機能とを合わせ持つ導電透明プローブが用いられている。この導電透明プローブは、光ファイバの先端を先鋭化して、その表面に導電加工したものである。この導電透明プローブを用いれば、プローブ先端から試料の微小領域に大きな電流を注入し、それによって試料から発せられた光を光源の直近に位置する同じプローブ先端で受光することができる（非特許文献３）。
【０００８】
このような電流注入光測定では、導電性プローブから注入する電流のエネルギーの単色性は高くないが、バイアス電圧を調整することにより、注入する電流のエネルギーをほとんどの物質のエネルギー帯が存在する０〜１０ｅＶ程度の範囲にわたって容易に同調可能であり、さらに高いエネルギーの電流を容易に注入することもできる。
【０００９】
また、電流注入の場合、原子レベルが高い空間分解能を持つモホロジー像（ＳＴＭ像）と光像とを同時に取得することが可能である。よって、同一点で光照射と電流注入で生じる信号光の双方を相補的に測定することにより、原子からナノメータレベルの微小領域で物質の多様な特性を精密に測定することが可能である。しかしながら、電流注入で生じる信号光を測定するＴＬ装置と光照射で生じる信号光を測定するＳＮＯＭ装置は、それぞれ独立した別の装置である。そのため、異なる手法を用いる別個の装置で試料の同一の局所領域を光測定することは極めて困難であり、試料の同一の局所領域における電流注入光測定と光照射光測定とを両立できないといった問題があった。
【００１０】
上記の問題に対して、電流注入光測定と光照射光測定との両方の動作を同一装置で可能とする高効率のプローブ型光測定装置が知られている（特許文献１）。特許文献１に記載されたプローブ型光測定装置は、光照射光測定と電流注入光測定とを同時に実施することができるものである。
具体的には、特許文献１に記載されたプローブ型光測定装置は、従来のＴＬ装置に用いられる導電透明プローブから被測定試料表面に光を照射させ、被測定試料から発光される信号光をその導電透明プローブで集光し測定する光照射光測定を実施する構成を備えることにより、被測定試料の同一の局所領域で電流注入光測定と光照射光測定とを可能にするものである。
【先行技術文献】
【特許文献】
【００１１】
【特許文献１】特開２００６−１１２９８８号公報
【非特許文献】
【００１２】
【非特許文献１】R.Toledo-Crow, P.C.Yang, Y.Chen, and M.Vaez-Iravani, “Near-Field differential scanning optical microscope with atomic force regulation”, Appl. Phys. Lett., Vol.60, No.24, 15 June 1992, pp2957-2959.
【非特許文献２】村下  達、「探針集光型トンネル電子発光顕微鏡による半導体ナノメートル領域評価」、応用物理  第７０巻  第１０号、１１９１  ２００１。
【非特許文献３】T.Murashita, “Novel conductiv transparent tip for low-temperature tunneling-electron luminescence microscopy using tip collection”, J. Vac. Sci. Technol. B, Vol.15, No.1, Jan/Feb 1997, pp32-37.
【非特許文献４】尾身  博雄，Ilya Sychugov，小林  慶裕、「同一ナノ領域でのルミネッセンス測定を可能とするトンネル電子・近接場光励起一体型プローブ顕微鏡の開発」、顕微鏡（日本顕微鏡学会）、第４４巻  第３号、２００９年、１７４−１７８頁。
【発明の概要】
【発明が解決しようとする課題】
【００１３】
しかしながら、特許文献１に記載のプローブ型光測定装置は、電流注入光測定と光照射光測定とを両立させることにより、被測定試料表面の同一の局所領域における電子の状態密度といった試料の電子状態を観測することはできるが、被測定試料表面の同一の局所領域におけるバンドギャップや状態密度遷移、トンネル励起や衝突励起といった電子による励起機構の情報といった詳細な情報を得ることはできなかった。
【００１４】
具体的には、バンドギャップや状態密度遷移、トンネル励起や衝突励起といった試料の電子状態の詳細な情報を得るためには、プローブと被測定試料表面との間に加えられるバイアス電圧に応じた被測定試料から発生するトンネル電流の測定（走査トンネル分光：ＳＴＳ）と、プローブと被測定試料表面との間に加えらるバイアス電圧に応じた試料から発光される光量（光子数）の測定（走査トンネルルミネッセンス分光：ＳＴＬＳ）とを被測定試料の同一領域で実施する必要があるが、特許文献１に記載の従来技術では、ＳＴＳとＳＴＬＳとを被測定試料の同一領域において実施できないといった問題があった。
【００１５】
また、測定試料の同一の局所領域からの発光の起源を解明するためには、測定試料からの信号光を時間分解しさらに波長分解して測定することが有効な手段であるが、特許文献１に記載のプローブ型光測定装置では、光照射光測定において、照射光励起による測定試料からの発光を時間分解しさらに波長分解して測定することができないといった問題があった。
【００１６】
そこで本発明は、第１の目的として、走査トンネル分光（ＳＴＳ）と走査トンネルルミネッセンス分光（ＳＴＬＳ）とを試料の同一の局所領域において実施することを目的とするものである。
また、第２の目的として、光照射光測定において、照射光励起によって試料から発光される信号光を時間分解しさらに波長分解して測定することを目的とするものである。
【課題を解決するための手段】
【００１７】
上記の目的を達成するために、本発明は、プローブ型光測定装置として、先端が導電性と光透過性とを有するプローブと、被測定試料の表面と前記プローブとの間にバイアス電圧を加える電源部と、所定の前記バイアス電圧が加えられたときに、前記被測定試料の表面と前記プローブとの間に発生するトンネル電流を測定するトンネル電流測定部と、前記プローブの先端によって集光された、被測定試料から発せられる信号光を測定する光測定部と、前記電源部によって加えられる前記バイアス電圧を変化させる制御ユニットと
を備え、前記制御ユニットは、前記トンネル電流測定部および前記光測定部に、複数レベルの前記バイアス電圧に対する前記トンネル電流およびトンネル電流励起による前記信号光をそれぞれ測定させることを特徴とする。
【００１８】
また、本発明における前記制御ユニットは、前記トンネル電流測定部および前記光測定部によって前記トンネル電流と前記トンネル電流励起による前記信号光とがそれぞれ測定されている間、前記バイアス電圧を一定の電圧値に保ち、前記トンネル電流と前記信号光との測定が終了した後に、前記バイアス電圧を所定の電圧値へ変化させても良い。
【００１９】
また、本発明における前記制御ユニットは、前記トンネル電流および前記トンネル電流励起による前記信号光を測定するときの複数レベルの前記バイアス電圧を、任意の第１の電圧値からこの第１の電圧値より高い任意の第２の電圧値の間に設定しても良い。
【００２０】
また、本発明における前記トンネル電流測定部および光測定部は、前記第１の電圧値から順次高い前記複数レベルの前記バイアス電圧に対する前記トンネル電流および前記トンネル電流励起による前記信号光と、前記第２の電圧値から順次低い前記複数レベルの前記バイアス電圧に対する前記トンネル電流および前記トンネル電流励起による前記信号光とをそれぞれ測定しても良い。
【００２１】
また、本発明にかかるプローブ型光測定装置は、照射光励起のための照射光を発光し前記プローブを介して照射する照射光光源と、前記プローブの先端によって集光された照射光励起による前記信号光を前記光測定部へ選択的に導光する光分波器とをさらに備え、前記制御ユニットは、前記光測定部が前記トンネル電流励起による前記信号光を測定する場合、前記照射光の光強度を前記被測定試料から前記照射光励起による発光が生じない光強度に設定し、前記光測定部が前記照射光励起による前記信号光を測定する場合、前記バイアス電圧を前記被測定試料から前記トンネル電流励起による発光が生じない電圧値へ設定しても良い。
【００２２】
さらに、上記の本発明におけるプローブ型光測定装置に、前記光分波器によって導光された前記信号光を分光して波長毎に分解されたスペクトルを出力する分光器と前記照射光を所定の周期で発光するパルス光へ変調する光変調器とをさらに備え、前記光測定部は、前記照射光励起による前記信号光を測定する場合、前記パルス光の周期に同期して前記分光器により出力された前記信号光のスペクトルを測定しても良い。
【００２３】
また、本発明は、光測定方法として、先端が導電性と光透過性とを有するプローブと被測定試料の表面との間に一定のバイアス電圧を加えるステップと、所定の前記バイアス電圧が加えられるときに前記プローブと前記被測定試料の表面との間に発生するトンネル電流とトンネル電流励起による前記被測定試料から発せられる信号光とを測定するステップと、前記バイアス電圧を変更するステップとを備え、複数レベルの前記バイアス電圧に対して前記トンネル電流および前記信号光を測定することを特徴とする。
【００２４】
また、本発明における前記バイアス電圧を変更するステップは、前記トンネル電流および前記トンネル電流励起による前記信号光を測定するときの前記複数レベルの前記バイアス電圧を、任意の第１の電圧値からこの第１の電圧値より高い任意の第２の電圧値の間に設定しても良い。
【００２５】
また、本発明における前記バイアス電圧を加えるステップは、前記トンネル電流および前記信号光を測定するステップにより前記トンネル電流と前記信号光との測定が実行されている間、加える前記バイアス電圧を一定の電圧値に保ち、前記バイアス電圧を変更するステップは、前記トンネル電流と前記信号光との測定が終了した後、加える前記バイアス電圧を所定の電圧値へ変化させても良い。
【００２６】
また、本発明における前記トンネル電流とトンネル電流励起による前記被測定試料から発せられる信号光とを測定するステップは、前記第１の電圧値から順次高い前記複数レベルの前記バイアス電圧に対する前記トンネル電流および前記信号光と、前記第２の電圧値から順次低い前記複数レベルの前記バイアス電圧に対する前記トンネル電流および前記信号光とをそれぞれ測定しても良い。
【発明の効果】
【００２７】
本発明によれば、プローブと被測定試料の表面間に加えられるバイアス電圧に応じたトンネル電流とこのトンネル電流励起による被測定試料からの発光である信号光とをそれぞれ測定することができるため、試料の同一の局所領域における走査トンネル分光（ＳＴＳ）と走査トンネルルミネッセンス分光（ＳＴＬＳ）とを同時に実行することが可能となる。
よって、被測定試料表面の同一の局所領域におけるバンドギャップや状態密度遷移、トンネル励起や衝突励起といった電子による励起機構の情報といった試料の電子状態の詳細な情報を取得することができる。
【００２８】
さらに、被測定試料表面の同一の局所領域において、トンネル電流を測定しかつトンネル電流励起による発光を観測することができるため、ＳＴＬＳで測定されるトンネル電流励起による被測定試料からの発光をＳＴＳで測定されるトンネル電流で規格化した信号光として測定することができる。
よって、ＳＴＬＳによって取得したデータ、すなわち、プローブと被測定試料表面との間に加えられたバイアス電圧に応じた試料から発光される光量（光子数）のデータの信頼性を向上させることができ、従来よりも信頼性の高い電子状態の詳細な情報を取得することが可能となる。
【００２９】
また、本発明によれば、光照射光測定において、所定の周期のパルス光を照射光として被測定試料の表面に照射し、かつ、照射光励起による信号光を分光して波長毎に分解されたスペクトルを取得することにより、パルス光の周期に同期して波長毎に分解された信号光のスペクトルを測定することができる。
よって、被測定試料の同一の局所領域からの発光の起源を解明するために有効な情報を取得することができる。
したがって、本発明によれば、被測定試料の表面の電子状態および被測定試料表面の発光のメカニズムの解明に有力な情報を、同一の測定装置で取得することができる。
【図面の簡単な説明】
【００３０】
【図１】本発明の第１の実施の形態にかかるプローブ型光測定装置の構成を示すブロック図である。
【図２】第１の実施の形態にかかるプローブ型光測定装置の動作を示すフローチャートである。
【図３】第１の実施の形態にかかるプローブ型光測定装置におけるＳＴＳ／ＳＴＬＳ測定を実行する際のプローブ位置制御の状態とバイアス電圧との関係を示す図である。
【図４】第１の実施の形態にかかるプローブ型光測定装置におけるＳＴＳとＳＴＬＳとの測定タイミングを説明する図である。
【図５】第１の実施の形態にかかるプローブ型光測定装置の光測定部による信号光の測定タイミングを説明する図である。
【図６】本発明の第２の実施の形態にかかるプローブ型光測定装置の構成を示すブロック図である。
【図７】プローブ型光測定装置におけるプローブ走査を実行する構成を説明する図である。
【発明を実施するための形態】
【００３１】
以下、図面を用いて、本発明の実施の形態を説明する。
［第１の実施の形態］
本発明の第１の実施の形態にかかるプローブ型光測定装置は、導電性と光透過性とを有する導電透明プローブを用いたプローブ型光測定装置において、被測定試料表面の同一の局所領域における走査トンネル分光（ＳＴＳ）と走査トンネルルミネッセンス分光（ＳＴＬＳ）とを実行する機能を備えたものである。
【００３２】
図１は、本発明の実施の形態にかかるプローブ型光測定装置の構成を示すブロック図である。
図１に示すように、本実施の形態にかかるプローブ光測定装置１００は、プローブ１１０と、電源部１２０と、トンネル電流測定部１３０と、光測定部１４０と、制御ユニット１５０とから構成されており、被測定試料１に対してＳＴＳとＳＴＬＳとを実行するものである。
【００３３】
プローブ１１０は、先端が導電性と光透過性とを有しており、また、後述する制御ユニット１５０からの制御により被測定試料１の表面直近を走査する。
例えば、プローブ１１０は、光ファイバの先端を先鋭化して、その表面を導電加工した先端を有する導電透明プローブとすることができる。また、導電透明プローブの先端に金属コーティングを施して先端の開口サイズを微小化したナノプローブ（非特許文献４）を用いても良い。
【００３４】
このような構造のプローブ１１０の先端が被測定試料１の表面の直近に配置されることにより、プローブ１１０と被測定試料１との間に所定のバイアス電圧が印加されるとトンネル電流が発生し、また、プローブ１１０の先端は、トンネル電流が発生したときにこのトンネル電流の電流励起により生ずる被測定試料１からの信号光を集光することができる。
【００３５】
電源部１２０は、被測定試料１の表面とこの表面に近接したプローブ１１０との間にバイアス電圧を加える。電源部１２０によって所定のバイアス電圧が加えられると、被測定試料１の表面上とプローブ先端の表面上との間のトンネル効果によるトンネル電流が発生する。
ここで、ＳＴＳおよびＳＴＬＳが実行される際に電源部１２０によって加えられるバイアス電圧は、ユーザによって任意に決定することができる。その範囲は、初期値としての第１の電圧値から、この第１の電圧値より高い上限値としての第２の電圧値の間とすることができる。電源部１２０によって印加されるバイアス電圧の電圧値は、後述する制御ユニット１５０によって第１の電圧値から第２の電圧値の間で制御される。
【００３６】
トンネル電流測定部１３０は、電源部１２０によって所定のバイアス電圧が加えられたときに、被測定試料１の表面とプローブ１１０との間に発生するトンネル電流を測定する。例えば、トンネル電流測定部１３０は、電流検出器と増幅器とを備え、バイアス電圧に対して発生したトンネル電流を電流検出器によって検出して増幅することにより、トンネル電流の電流値に関する情報を取得することができる。
【００３７】
光測定部１４０は、プローブ１１０の先端によって集光された、被測定試料１から発せられる信号光を測定する。例えば、光測定部１４０は、光検出器を備え、プローブ１１０によって集光された被測定試料１からの信号光を光検出器によって光電変換して検出することにより、信号光の光量に関する情報を取得することができる。具体的には、検出した信号光の光子数に応じた電気信号を積算することにより、光検出器によって検出された信号光の光子数量を求めることができる。
また、光測定部１４０によって測定されるトンネル電流励起による信号光に基づいて取得できる信号光の光量に関する情報は、測定部１３０によって測定されたトンネル電流によって規格化された信号光の光量に関する情報とすることができる。
【００３８】
制御ユニット１５０は、被測定試料１の表面上を走査するためにプローブ１１０の位置制御を行うとともに、電源部１２０によって印加されるバイアス電圧を変化させてトンネル電流測定部１３０および光測定部１４０に、複数レベルのバイアス電圧に対するトンネル電流およびトンネル電流励起による被測定試料１からの信号光をそれぞれ測定させる。
【００３９】
具体的には、制御ユニット１５０は、ユーザによって設定される任意の第１の電圧値と第２の電圧値との間に予め定められた複数レベルのバイアス電圧を電源部１２０に印加させるよう電圧値を制御し、この複数レベルのバイアス電圧値に対して、被測定試料１の同一の局所領域におけるトンネル電流およびトンネル電流励起による信号光をトンネル電流測定部１３０および光測定部１４０に測定させる。
ここで、トンネル電流およびトンネル電流励起による信号光の測定電圧となる複数レベルのバイアス電圧値は、予めユーザによって設定することができ、制御ユニット１５０のメモリ（不図示）に設定された電圧レベルを表す情報を測定電圧レベルの情報として記憶するとしても良い。
【００４０】
このような構成を備えることから、制御ユニット１５０は、プローブ１１０を被測定試料１の表面上の任意の地点に固定し、複数レベルのバイアス電圧値に対するトンネル電流およびトンネル電流励起による信号光をトンネル電流測定部１３０および光測定部１４０に測定させ、被測定試料１の同一の局所領域におけるＳＴＳとＳＴＬＳとを同時に実行させることを可能とする。
【００４１】
なお、本実施の形態にかかるプローブ型光測定装置１００のトンネル電流測定部１３０，光測定部１４０，制御ユニット１５０は、ＣＰＵ（中央演算装置）やメモリ、インターフェースからなるコンピュータ（ハードウェア）にコンピュータプログラム（ソフトウェア）をインストールすることによって実現され、上述したトンネル電流測定部１３０，光測定部１４０，制御ユニット１５０の機能は、上記コンピュータの各種ハードウェア資源と上記コンピュータプログラムとが協働することによって実現される。
また、上記したコンピュータプログラムは、コンピュータが読み取り可能な記録媒体や記憶装置に格納された状態で提供されても良く、電気通信回線を介して提供されても良い。
【００４２】
次に、本実施の形態にかかるプローブ型光測定装置１００の動作について、図２および図３を参照して説明する。
図２は、本実施の形態にかかるプローブ型光測定装置１００の動作を示すフローチャートであり、図３は、プローブ型光測定装置１００によるＳＴＳ／ＳＴＬＳ測定を実行する際のプローブ位置制御の状態とバイアス電圧の変化との関係を示す図である。
【００４３】
図２に示すように、プローブ型光測定装置１００は、被測定試料１の表面上をプローブ１１０によって走査することにより被測定試料１の表面状態を原子レベルの分解能で観測するＳＴＭ像の観測を実行して被測定試料１の表面の高さに関する情報を取得し、ＳＴＳ／ＳＴＬＳ測定を実行する測定位置を選定する（Ｓ１０１）。
ここで、「ＳＴＳ／ＳＴＬＳ測定」とは、プローブ位置を固定した状態で複数レベルのバイアス電圧に対してトンネル電流とトンネル電流励起による試料からの発光との測定を実行するものである。
【００４４】
上述した（Ｓ１０１）を実行する間のプローブ位置制御の状態とバイアス電圧との関係は、図３に示すように、制御ユニット１５０によるプローブ位置制御の状態がＯＮであって、所定のバイアス電圧が加えられており、被測定試料１の表面上をプローブ１１０による被測定試料１のＳＴＭ像の観測が実行されている。
ＳＴＳ／ＳＴＬＳ測定を実行する際には、この間に制御ユニット１５０によって測定位置となる被測定試料１の表面上の直近にプローブ１１０の先端が配置されるようプローブ位置が決定される。
【００４５】
制御ユニット１５０によって測定位置となる被測定試料１の表面上の直近にプローブ１１０の先端が配置されるようプローブ位置が決定されると、制御ユニット１５０は、プローブ走査制御を停止してプローブ１１０を固定するとともに、電源部１２０によって加えられるバイアス電圧の電圧値をＳＴＳ／ＳＴＬＳ測定電圧の初期値である第１の電圧値となるよう設定する（Ｓ１０２）。
ここで、「ＳＴＳ／ＳＴＬＳ測定電圧」とは、ＳＴＳ／ＳＴＬＳ測定における測定電圧である複数レベルのバイアス電圧を意味するものである。具体的には、ＳＴＳ／ＳＴＬＳ測定電圧は、ＳＴＳ／ＳＴＬＳ測定における測定電圧の下限電圧値である第１の電圧値と上限電圧値である第２の電圧値との間に設定された複数レベルのバイアス電圧である。
【００４６】
上述した（Ｓ１０２）を実行する間のプローブ位置制御の状態とバイアス電圧との関係は、図３に示すように、制御ユニット１５０によるプローブ位置制御の状態はＯＦＦへ切り替えられ、プローブ１１０の位置が固定される。また、電源部１２０によって加えられるバイアス電圧は、制御部１５０によって設定されたＳＴＳ／ＳＴＬＳ測定電圧の下限電圧値である第１の電圧値へ向かって変化する。
【００４７】
制御ユニット１５０によってプローブ１１０の位置が固定され、かつ、電源部１２０によって加えられるバイアス電圧のレベルが第１の電圧値となると、電流測定部１３０および光測定部１４０による複数レベルのバイアス電圧に対するトンネル電流およびトンネル電流励起による信号光の測定、すなわち、被測定試料１の同一の局所領域におけるＳＴＳ／ＳＴＬＳ測定が実行される（Ｓ１０３）。
【００４８】
上述した（Ｓ１０３）の動作を実行する間のプローブ位置制御の状態とバイアス電圧との関係は、図３に示すように、制御ユニット１５０によるプローブ位置制御の状態がＯＦＦに保持され、プローブ１１０の固定状態が維持される。
一方、電源部１２０によって加えられるバイアス電圧は、第１の電圧値からＳＴＳ／ＳＴＬＳ測定電圧の上限電圧値である第２の電圧値の間に設定された、複数レベルの測定電圧（測定電圧１〜ｎ）の各電圧値となるよう変化する。
【００４９】
例えば、図４に示すようなＳＴＳ／ＳＴＬＳ測定電圧の初期値を下限電圧値である第１の電圧値とした場合、電源部１２０によって加えられるバイアス電圧は、初期値の第１の電圧値の次に高い電圧値である測定電圧１へ上昇し、順に上限電圧値である第２の電圧値まで上昇した後、第２の電圧値の次に低い電圧値である測定電圧ｎへ降下し、順に下限電圧値の第１の電圧値まで降下する。なお、図４に示した例とは異なり、ＳＴＳ／ＳＴＬＳ測定電圧の初期値を上限電圧の第２の電圧値としても良く、この場合は、バイアス電圧が第２の電圧値から順に低い測定電圧へ降下して第１の電圧値まで降下した後、第１の電圧値から順に高い測定電圧へ上昇して第２の電圧値まで上昇する。
【００５０】
被測定試料１の同一の局所領域における複数レベルのバイアス電圧に対するトンネル電流およびトンネル電流励起による信号光の測定が完了すると、制御ユニット１５０は、所定の電圧値、例えば、ＳＴＳ／ＳＴＬＳ測定開始直前のバイアス電圧値へバイアス電圧を設定する（Ｓ１０４）。
上記の（Ｓ１０４）の動作を実行する間のプローブ位置制御の状態とバイアス電圧との関係は、図３に示すように、制御ユニット１５０によるプローブ位置制御の状態がＯＦＦに保持され、プローブ１１０を固定した状態が継続される。また、バイアス電圧は、所定のレベルとなるよう変化する。
【００５１】
電源部１２０によって加えられるバイアス電圧が所定の電圧値となると、制御ユニット１５０は、プローブ走査制御を再びＯＮ状態とすることで、ＳＴＭ像の観測を実行できるようにする（Ｓ１０５）。
上記の（Ｓ１０５）の動作を実行する間のプローブ位置制御の状態とバイアス電圧との関係は、電源部１２０によって加えられるバイアス電圧が所定の電圧値となり、制御ユニット１５０によるプローブ位置制御の状態は再びＯＮ状態となる。よって、プローブ１１０によるＳＴＭ像の観測が実行可能な状態となる。
【００５２】
ここで、ＳＴＳ／ＳＴＬＳ測定動作を実行する区間におけるプローブ型光測定装置１００の動作ついて、図４および図５を参照して、ＳＴＳ／ＳＴＬＳ測定の実行タイミングとバイアス電圧の変化との関係を詳細に説明する。
図４は、ＳＴＳ／ＳＴＬＳ測定を実行する際のバイアス電圧の変化とトンネル電流測定およびトンネル電流励起による信号光測定のタイミングとの関係を示す図である。
【００５３】
ＳＴＳ／ＳＴＬＳ測定電圧の初期値が第１の電圧値である場合、図４に示すように、バイアス電圧のレベルが第１の電圧値となると、制御ユニット１５０は、第１の電圧値と第２の電圧値との間に予め定められた複数レベルの測定電圧１〜ｎのうち、第１の電圧値に最も近い電圧値である測定電圧１のレベルとなるようバイアス電圧を変化させ、一定時間待機してバイアス電圧を安定させる（Ｓ１０３−１１）。
【００５４】
バイアス電圧が測定電圧１のレベルで安定すると、制御ユニット１５０は、トンネル電流測定部１３０および光測定部１４０によってトンネル電流およびトンネル電流励起による信号光の測定を開始させ、トンネル電流およびトンネル電流励起による信号光を所定時間継続して測定させる（Ｓ１０３−１２）。
【００５５】
例えば、始めにトンネル電流測定部１３０にトンネル電流の測定を開始させて安定的にトンネル電流の検出を確認できた後に、光測定部１４０にトンネル電流励起による信号光の測定を開始させ、測定時間をμ秒単位〜ｍ秒単位とすることで、トンネル電流およびトンネル電流励起による信号光を十分に測定することができる。
また、このとき、トンネル電流測定部１３０および光測定部１４０は、バイアス電圧のレベルが測定電圧１のレベルで安定していることを自立的に検出して、トンネル電流およびトンネル電流励起による信号光の測定を開始して所定時間測定を継続する構成としても良い。
【００５６】
測定電圧１におけるトンネル電流およびトンネル電流励起による信号光の測定が完了すると、制御ユニット１５０は、測定電圧１の次にレベルの高い測定電圧２のレベルとなるようバイアス電圧を変化させ、一定時間待機してバイアス電圧を安定させる（Ｓ１０３−１３）。
【００５７】
バイアス電圧が測定電圧２のレベルで安定すると、制御ユニット１５０は、トンネル電流測定部１３０および光測定部１４０によってトンネル電流およびトンネル電流励起による信号光の測定を開始させ、トンネル電流およびトンネル電流励起による信号光を所定時間継続して測定させる（Ｓ１０３−１４）。
このように、バイアス電圧を第１の電圧値から第２の電圧値まで上昇させ且つＳＴＳ／ＳＴＬＳ測定電圧の各測定電圧におけるトンネル電流およびトンネル電流励起による信号光の測定を実行した後、バイアス電圧を第２の電圧値から第１の電圧値まで下降させ且つＳＴＳ／ＳＴＬＳ測定電圧の各測定電圧におけるトンネル電流およびトンネル電流励起による信号光の測定を実行することで、ＳＴＳ／ＳＴＬＳ測定電圧の各測定電圧に対するトンネル電流の電流値に関する情報と、トンネル電流励起による信号光の光量に関する情報とを同時に取得することができる。
【００５８】
図５は、光測定部１４０によるトンネル電流励起による信号光の測定タイミング、すなわちＳＴＬＳの実行動作を説明する図である。ここでは、図５を参照して、光測定部１４０によるＳＴＬＳの実行動作を詳細に説明する。
なお、光測定部１４０は上述したように光検出器を備え、この光検出器は、信号光を電気信号へ変換して光信号を検出する光電変換機能と、検出した光信号に対応する電気信号を入力として信号光の光子数を積算するカウンタ機能とを備えるものとする。
【００５９】
図５に示すように、バイアス電圧のレベルを上昇させる制御の開始と同期して、光測定部１４０はカウンタ機能のレジスタ値をクリアする（Ｓ１０３−２１）。例えば、レジスタをリセットするフォトカウンタクリアをアクティブとすることにより、カウンタ機能のレジスタ値をクリア（Clear）することができる。
【００６０】
バイアス電圧のレベルが測定電圧のレベルで安定すると、光測定部１４０は、カウンタ機能のゲートをオープン状態にする、すなわち、カウンタ機能の入力を有効にして、光電変換機能により検出された信号光に対応する電気信号をカウントできるようにする（Ｓ１０３−２２）。例えば、カウンタゲートをオープン状態（Open）とするフォトカウンタゲートをアクティブとすることにより、カウンタ機能に入力された電気信号をカウントすることができる。
【００６１】
カウンタ機能のゲートがオープン状態となると、光測定部１４０は、光電変換機能によって検出された信号光に対応する電気信号を受信して、受信した電気信号をカウントすることで検出された信号光の光量を求める（Ｓ１０３−２３）。例えば、光測定部１４０の光電変換機能は、検出した信号光の光子数に応じて電気信号へ変換する機能とすることができ、カウンタ機能は、その光電変換機能から出力された電気信号を受信して積算することにより、測定時間の間に検出した信号光の光子数を求めることができる。
【００６２】
所定の測定時間が経過すると、光測定部１４０は、カウンタ機能のゲートをクローズ状態にし（Ｓ１０３−２４）、カウンタ機能によって積算された電気信号の数、すなわち検出された信号光の光子数量を表す値をレジスタへ入力する（Ｓ１０３−２５）。光子数量の値が入力され一定時間経過の後、バイアス電圧は、次の測定電圧となるよう変化する（Ｓ１０３−２６）。
全ての測定電圧において、光測定部１４０は、上記の（Ｓ１０３−２１）〜（Ｓ１０３−２６）の動作を実行することによって、被測定試料１の同一の局所領域におけるＳＴＬＳを実施することができる。
【００６３】
このように、本実施の形態によれば、プローブと被測定試料の表面間に加えるバイアス電圧に応じたトンネル電流とこのトンネル電流励起による被測定試料からの発光である信号光とを測定することができるため、試料の同一の局所領域における走査トンネル分光（ＳＴＳ）と走査トンネルルミネッセンス分光（ＳＴＬＳ）とを同時に実行することができる。  よって、ＳＴＳ／ＳＴＬＳ測定を同時に実行することにより、バイアス電圧に対するトンネル電流値の変化を示すＳＴＳ曲線と、バイアス電圧に対するトンネル電流励起による信号光の光量の変化を示すＳＴＬＳ曲線とを取得することができ、被測定試料表面の同一の局所領域におけるバンドギャップや状態密度遷移、トンネル励起や衝突励起といった電子による励起機構の情報といった試料の電子状態の詳細な情報を取得することができる。
【００６４】
また、本実施の形態によれば、被測定試料表面の同一の局所領域において、トンネル電流を測定しかつトンネル電流励起による発光を観測することができるため、ＳＴＬＳで測定されるトンネル電流励起による被測定試料からの発光をＳＴＳで測定されるトンネル電流で規格化した信号光として測定することができる。
よって、ＳＴＬＳによって取得したデータ、すなわち、プローブと被測定試料表面との間に加えられたバイアス電圧に応じた試料から発光される光量（光子数）のデータの信頼性を向上させることができ、従来よりも信頼性の高い電子状態の詳細な情報を取得することが可能となる。
【００６５】
［第２の実施の形態］
本発明の第２の実施の形態にかかるプローブ型光測定装置は、光照射光測定の機能と第１の実施の形態において説明した電流注入光測定を実現する機能とを同一の装置で実施するものである。なお、第１の実施の形態において説明したプローブ型光測定装置１００の構成要素と同一の構成および機能を有するものには、同一の符号を付し、その詳細な説明は省略する。
【００６６】
図６は、本発明の実施の形態にかかるプローブ型光測定装置２００の構成を示すブロック図である。
プローブ型光測定装置２００は、図６に示すように、導電性と光透過性とを有するプローブ１１０によって、容器２の中に設置された被測定試料１に対する光照射光測定および電流注入光測定を実施するものであり、プローブ１１０と、電源部１２０と、トンネル電流測定部１３０と、光測定部１４０と、制御ユニット１５０と、照射光光源２６０と、光分波器２７０と、分光器２８０と、光変調器２９０とから構成されている。
【００６７】
照射光光源２６０は、光照射光測定を実行する際に、被測定試料１の表面に対しプローブ１１０を介して照射する照射光を発光する。本実施の形態においては、照射光光源２６０から発光される照射光はレーザ光とする。以下、照射光は、照射光光源２６０から発光されたレーザ光として、説明する。
【００６８】
光分波器２７０は、プローブ１１０の先端によって集光された被測定試料１からの信号光を光測定部１４０へ選択的に導光する。
例えば、光分波器２７０に照射光光源２６０から発光されるレーザ光を全反射させてプローブ１１０へ導光するハーフミラー２７１と、プローブ１１０の先端によって集光された被測定試料１から反射した照射光の成分を減衰させかつ被測定試料１からの信号光成分を透過させる光バンドパスフィルタ（光ＢＰＦ）２７２とを備えることにより、照射光光源１４０から発光された照射光をプローブ１１０へ導光し、かつ、プローブ１１０の先端によって集光された被測定試料１からの信号光を光測定部１４０へ選択的に導光することができる。
【００６９】
分光器２８０は、光分波器２７０によって導光された信号光を分光して波長毎に分解されたスペクトルを生成し、光測定部１４０へこのスペクトルを出力する。
光変調器２９０は、照射光光源２６０から発光される照射光の周期を任意の周期で発光するパルス光へ変調して光分波器２７０へ出力する。
【００７０】
次に、本実施の形態にかかるプローブ型光測定装置２００の上述した各構成要素の接続関係について、特に、光照射光測定を実行する各構成要素の接続関係を説明する。
【００７１】
プローブ１１０の後端には、図６に示すように、光伝送用の光ファイバ３−ａが取り付けられており、容器２の外には照射光光源２６０，光変調器２９０，光分波器２７０，分光器２８０，光測定部１４０とが設置されている。
また、光測定部１４０および分光器２８０には光ファイバ３−ｂが、照射光光源２６０および光変量器２９０には光ファイバ３−ｃが、光の入出力用としてそれぞれ接続されている。
【００７２】
また、光分波器２７０には、プローブ１１０、照射光光源２６０および光測定部１４０の３方向に光ファイバを接続するためのコネクタ２７３−１，２７３−２，２７３−３が取り付けられており、コネクタ２７３−１はプローブ１１０と、コネクタ２７３−２は分光器２８０および光測定部１４０と、コネクタ２７３−３は光変調器２９０および照射光光源２６０とを、それぞれ光ファイバ４−ａ，４−ｂ，４−ｃを介して接続する。
このように、プローブ１１０と光測定部１４０の間の光伝送路中に、照射光光源２６０からの照射光が混入することを防ぎ、かつ、被測定試料１からの信号光を低損失で透過させる機能を持つ光分波器２７０を設置した。
【００７３】
次に、本実施の形態にかかるプローブ型光測定装置２００の動作、特に光照射光測定の動作について、説明する。
光励起の発光を測定する場合には、光励起発光が生じる程度に強い照射光を照射光光源２６０から照射する一方で、トンネル電流励起による発光を生じさせないようバイアス電圧を低くする。なお、ここで、バイアス電圧の極性として、プローブ１１０を正極あるいは負極の何れに設定するものであってもよい。  
また、トンネル電流励起の発光を測定する場合では、トンネル電流励起による発光が生じる程度に高いバイアス電圧を供給する一方で、照射光励起による発光を生じさせないよう照射光光源２６０からの発光強度を低くしまたは停止させる。
【００７４】
光励起の発光を測定する場合、本実施の形態にかかるプローブ型光測定装置２００は、光励起発光が生じる程度に強い照射光（レーザ光）を照射光光源２６０から発光させるとともに、トンネル電流による発光が生じないようにバイアス電圧を低くする。
光変調器２９０は、被測定試料１からの信号光の時間分解測定を行うため、照射光光源２６０から発光される連続光であるレーザー光を所定の周期で発光するパルスレーザー光へ変調し、光ファイバ４−ｃを介して光分波器２７０へ出力する。
【００７５】
光分波器２７０のコネクタ２７３−１，２７３−２，２７３−３の延長線が交差する位置に設置されたハーフミラー２７１は、光伝送路に対して４５°の確度で設置されており、パルスレーザ光の反射成分の波長に対しては反射率が高くなり、信号光の波長に対しては透過率が高くなるように設定されている。そのため、照射光源２６０から発光され光変調器２９０によって変調されたパルスレーザー光は、ハーフミラー２７１で反射され直角に光路を曲げられコネクタ２７３−１へ導光される。このパルスレーザ光は、光ファイバ４−ａを介してプローブ１１０へ導光されプローブ１１０から被測定試料１に対して照射される。
また、光分波器２７０の光ＢＰＦ２７２は、コネクタ２７３−１を経由して導光された被測定試料１からの信号光と、被測定試料１の表面で反射したパルスレーザー光の反射成分とが混合された光（以下、「混合光信号」という。）を受信する。光ＢＰＦ２７２は、混合光信号のうち、パルスレーザー光の反射成分のみを減衰させ、被測定試料１からの信号光の成分を透過させる働きをする。
【００７６】
具体的には、プローブ１１０で集光される光（混合信号光）のうち、被測定試料１からの信号光は、プローブ１１０で集光され光ファイバ４−ａを介してコネクタ２７３−１にパルスレーザ光の照射方向とは逆方向に伝送される。コネクタ２７３−１から出力される信号光は、特に図示しないが、光分波器２７０内でレンズにより平行光にコリメートされてから直進してハーフミラー２７１に達する。ハーフミラーは、上述したように、パルスレーザ光の反射成分の波長に対しては反射率が高くなり、信号光の波長に対しては透過率が高くなるように設定されている。そのため、被測定試料１からの信号光はハーフミラー２７１を透過してコネクタ２７３−２へ導光される。
【００７７】
一方、混合信号光のうち、混入したパルスレーザ光の反射成分は、信号光に比べてはるかに光強度が高く、このまま光測定部１４０へ導光されると信号光の測定に悪影響を及ぼすため、除去しなければならない。混合信号光に含まれるパルスレーザ光の反射成分もコネクタ２７３−１を経由してハーフミラー２７１に到達するが、ハーフミラー２７１は、パルスレーザ光の反射成分の波長に対して高い反射率を持つことから、パルスレーザ光の反射成分をコネクタ２７３−３の方向に反射させてコネクタ２７３−２の方向には透過させない。
よって、ハーフミラー２７１は、混合信号光のうち信号光の成分のみを光測定部１４０へ導光する。ここで、ひかりＢＰＦ２７２は、上記のようにハーフミラー２７１を透過した信号光以外の不要光成分を除去するためのものである。
【００７８】
上述したようなハーフミラー２７１の効果により、被測定試料１からの信号光を主成分とする光がコネクタ２７３−２へ導光され、光ファイバ４−ｂを介して分光器２８０および光測定部１４０に導かれる。光測定部１４０に入力した信号光は、分光器２８０によって波長毎に分解されたスペクトルとなり、光測定部１４０に備わる光検出器によって測定信号に変換される。
光測定部１４０は、光変調器２９０によって変調されたパルスレーザ光の周期に同期させて、分光器２８０より出力される信号光を波長分解したスペクトルを光検出器で測定する。
【００７９】
一方、電流注入で生じる信号光を測定する場合では、レーザ光励起による発光が生じない程度に同じ測定位置でレーザ光の照射を停止させたのち、信号光の強度が十分になるまでバイアス電圧を高くする。この場合、信号光は光照射光測定の場合と同様に、ハーフミラー２７１を透過しコネクタ２７３−２を経由して光測定部１４０に入るが、照射光は存在していないので、高感度に信号光の検出ができる。すなわち、この光分波器２７０が組み込まれたプローブ型光測定装置では光照射と電流注入の両方の場合で信号光の高感度の測定が可能となる。
【００８０】
次に、本実施の形態にかかるプローブ型光測定装置２００の作用効果について、特許文献１に開示される従来技術によるカーボンナノチューブ（ＣＮＴ）の測定例と比較することにより説明する。  
ＣＮＴは太さが数ナノメータから数十ナノメータ程度と細く、発光特性は太さや周囲の環境に大きく影響される。一般的にＣＮＴを調べる試料は平坦な基板上に多数のＣＮＴを散布したものである。個々のＣＮＴは太さや層構造などにばらつきがあり、着目した同一のＣＮＴを測定しないと正確な特性は得られない。
したがって、同一のＣＮＴに対してＰＬ（フォトルミネッセンス）とＴＬ（トンネル電子ルミネッセンス）とを行うにはナノメータ・レベルの精度で位置合わせをしなくてはならない。ところがＰＬとＴＬを別々の測定装置で測定した場合には、このような精度の位置合わせは事実上不可能であるため、別々の測定装置で測定されたＰＬスペクトルとＴＬスペクトルとの間の関連性は保証されない。
【００８１】
しかし、特許文献１に開示されるプローブ光測定装置を用いることによりプローブの位置を変えることなくＰＬ測定とＴＬ測定とを実行することが可能になる。そのため、測定されたＰＬスペクトルとＴＬスペクトルとは同一のＣＮＴに対するものであることが保証される。それゆえ、その結果を用いて意味のある分析ができる。
また、特許文献１に開示されるプローブ光測定では同一環境で両測定を実施することができるので、別々の装置で測定した時に問題となる試料表面の汚染や試料温度の差異等も生じない利点がある。
【００８２】
ここで、特許文献１に開示されるプローブ光測定装置のプローブ走査機能を説明する図を、図７に示す。
図７に示すように、プローブは、ピエゾ効果を有するピエゾ素子Ａなどを用いた精密駆動機構に、導電性と光透過性とを有するプローブ先端Ｂが搭載された構成をなしており、この精密駆動機構は容器に固定されている。また、プローブ先端Ｂは、被測定試料表面上の直近に配置されている。
プローブは、ＳＴＭコントロールユニットＣの平面走査制御部Ｃ−１とフィードバック制御部Ｃ−２とによって平面方向（図７におけるＸ−Ｙ方向）の走査制御および垂直方向（図７におけるＺ方向）の高さ制御がなされる。
【００８３】
被測定試料１の表面をＳＴＭ観察するため、プローブ１１０を走査させる場合には、ＳＴＭコントロールユニットＣのフィードバック制御部Ｃ−１によるフィードバック制御の状態をＯＮとし、トンネル電流検知部Ｄによって検知されるプローブの探針を流れるトンネル電流が一定となるようピエゾ素子Ａに加えるピエゾ駆動電圧を制御し、平面走査制御部Ｃ−２によってプローブを平面走査させる。これにより、被測定試料１の表面の凹凸に起因したピエゾ駆動電圧の変化を観察することにより、被測定試料１の表面の凹凸に対応した画像を取得することができる。
【００８４】
一方、上述のような特許文献１に開示されるプローブ光測定装置に、第１の実施の形態において説明した機能を備えるとともに波長分解した信号光を照射光の変調周期に同期して測定する機能を備える本実施の形態にかかるプローブ型光測定装置によれば、同一のＣＮＴに対して走査トンネル分光（ＳＴＳ）の測定と走査トンネルルミネッセンス分光（ＳＴＬＳ）の測定を同時に行うことができ、ＣＮＴの局所的な光物性を解明できるとともに、励起光源のパルス光の周期に同期させて光測定部による光測定を行うことにより、ＳＴＭ，ＳＴＳ，ＳＴＬＳで評価したＣＮＴと同一のＣＮＴに対して時間分解発光測定を行ことができる。これにより、個々のＣＮＴの発光の起源をさらに詳細に解明することができる。
【００８５】
すなわち、本実施の形態によれば、試料の同一の局所領域に対してＳＴＳ／ＳＴＬＳ測定を同時に実行でき、かつ、試料の同一の局所領域に対する光励起による発光の時間分解測定を実行することができることにより、試料表面の発光メカニズムおよび電子状態の解明に有力な情報を同一のプローブ型光測定装置で取得することができる。
【００８６】
なお、時間分解発光測定の際に用いる光測定部の光検出器は、検出する発光が微弱光であり、さらに、照射光との同期を取る必要があるため、ゲート機能を有する光検出器（例えば、フォトンカウンタ、ストリークカメラ、あるいはゲート機能を有したＣＣＤカメラ）を用いることとする。
また、本実施の形態において、照射光光源から照射させる照射光は、トンネル電流励起の発光を測定する場合、照射光励起による発光を生じさせない程度に発光強度を低くしまたは停止させるとしたが、本発明にかかるプローブ型光測定装置は、ＳＴＳ／ＳＴＬＳ測定の実行中において、照射光励起による発光を生じさせる程度の照射光を照射できる構成としても何ら問題ない。
【産業上の利用可能性】
【００８７】
物質のナノメータサイズ領域の特性を観測するトンネル発光顕微鏡に利用することが可能である。
【符号の説明】
【００８８】
１００，２００…プローブ型光測定装置、１１０…プローブ、１２０…電源部、１３０…トンネル電流測定部、１４０…光測定部、１５０…制御ユニット、２６０…照射光光源、２７０…光分波器、２７１…ハーフミラー、２７２…光バンドパスフィルタ、２７３−１〜２７３−３…コネクタ、２８０…分光器、２９０…光変調器、１…被測定試料、２…容器、３−ａ〜３−ｃ…光ファイバ、Ａ…ピエゾ素子（精密駆動部）、Ｂ…プローブ先端（導電性および光透過性）、Ｃ…ＳＴＭコントロールユニット、Ｃ−１…平面走査制御部、Ｃ−２…フィードバック制御部、Ｄ…トンネル電流検知部。
【図１】
2012088283.tif 000003
【図２】
2012088283.tif 000004
【図３】
2012088283.tif 000005
【図４】
2012088283.tif 000006
【図５】
2012088283.tif 000007
【図６】
2012088283.tif 000008
【図７】
2012088283.tif 000009